(57)【特許請求の範囲】
【請求項１】
導電性平板状部材によって形成され、互いの間に間隙が存する状態で同一平面内に配置された第１及び第２バスバーと、前記間隙内に充填された間隙充填部並びに前記第１及び第２バスバーが前記間隙充填部によって連結されてなるバスバー連結体の厚み方向一方側の上面に設けられた上面積層部を含む絶縁性樹脂層とを備え、
前記絶縁性樹脂層は、さらに、前記バスバー連結体の厚み方向他方側の下面に設けられた下面積層部と、前記バスバー連結体の側面に設けられ、前記上面積層部及び前記下面積層部を連結する側面積層部とを有し、
前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、
前記上面積層部のうち前記第１及び第２バスバー側上面開口の間に位置する部分が仕切壁を形成し、
前記下面積層部には、前記第１及び第２バスバーの下面の所定領域を露出させる下面開口が設けられていることを特徴とするバスバーアッセンブリ。
【請求項２】
導電性平板状部材によって形成され、互いの間に間隙が存する状態で同一平面内に配置された第１及び第２バスバーと、前記間隙内に充填された間隙充填部並びに前記第１及び第２バスバーが前記間隙充填部によって連結されてなるバスバー連結体の厚み方向一方側の上面に設けられた上面積層部を含む絶縁性樹脂層とを備え、
前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、
前記上面積層部のうち前記第１及び第２バスバー側上面開口の間に位置する部分が仕切壁を形成し、
前記第１及び第２バスバーは、前記上面と、厚み方向他方側の下面と、前記間隙に面する第１側面と、前記間隙とは反対側を向く第２側面と、前記上面、前記下面、前記第１側面及び前記第２側面における前記間隙の長手方向一方側の端部同士を連結する第３側面と、前記上面、前記下面、前記第１側面及び前記第２側面における前記間隙の長手方向一方側の端部同士を連結する第４側面とを有し、
前記第１側面は、前記上面から厚み方向他方側へ延びる上面隣接部と、前記上面隣接部の厚み方向他方側の端部から前記第２側面に近接する方向へ延びる段部と、前記段部における前記第２側面に近接する側の端部から厚み方向他方側へ延びて前記下面に到達する下面隣接部とを有し、
前記第２側面は、前記上面から厚み方向他方側へ延びる上面隣接部と、前記上面隣接部の厚み方向他方側の端部から前記第１側面に近接する方向へ延びる段部と、前記段部における前記第１側面に近接する側の端部から厚み方向他方側へ延びて前記下面に到達する下面隣接部とを有し、
前記絶縁性樹脂層は、さらに、前記第１及び第２バスバーの下面を露出させつつ前記バスバー連結体の側面を覆うように、前記上面積層部に一体形成された側面積層部を有していることを特徴とするバスバーアッセンブリ。
【請求項３】
前記第１及び第２バスバー側上面開口は、前記間隙の長手方向に関し前記第１及び第２バスバーの中央に設けられていることを特徴とする請求項１又は２に記載のバスバーアッセンブリ。
【請求項４】
平面視において前記バスバー連結体の外形状に対応した外形状を有し且つ平面視中央に前記第１及び第２バスバー側上面開口を囲む中央孔が設けられた所定厚みの枠体本体並びに前記枠体本体の外周を覆う絶縁性樹脂層を有する枠体を備え、
前記枠体は、平面視において前記第１及び第２バスバー側上面開口を囲むように前記バスバー連結体の上面の周縁に固着されていることを特徴とする請求項１から３の何れかに記載のバスバーアッセンブリ。
【請求項５】
導電性平板状部材によって形成され、互いの間に間隙が存する状態で同一平面内に配置された第１及び第２バスバーと、前記間隙内に充填された間隙充填部、前記第１及び第２バスバーが前記間隙充填部によって連結されてなるバスバー連結体の厚み方向一方側の上面に設けられた上面積層部、前記バスバー連結体の厚み方向他方側の下面に設けられた下面積層部並びに前記バスバー連結体の側面に設けられ、前記上面積層部及び前記下面積層部の周縁を連結する側面積層部を含む絶縁性樹脂層とを備え、前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、前記上面積層部のうち前記第１及び第２バスバー側上面開口の間に位置する部分が仕切壁を形成し、前記下面積層部には、前記第１及び第２バスバーの下面の所定領域を露出させる下面開口が設けられているバスバーアッセンブリの製造方法であって、
前記第１及び第２バスバーを形成するバスバーアッセンブリ形成領域を有するバスバー用導電性金属平板を用意する工程と、
前記バスバーアッセンブリ形成領域に、厚み方向一方側の上面及び厚み方向他方側の下面の間を貫通し且つ前記間隙と同一幅を有するスリットを形成して、前記第１及び第２バスバーに対応した第１及び第２バスバー形成部位を画するスリット形成工程と、
前記スリット内及び前記バスバーアッセンブリ形成領域の上面の全域に絶縁性樹脂層材を設ける工程と、
前記絶縁性樹脂層材を硬化させて、前記間隙充填部及び前記上面積層部を有する前記絶縁性樹脂層を形成する工程と、
前記上面積層部のうち前記第１及び第２バスバー側上面開口に相当する領域にレーザー光を照射して前記第１及び第２バスバー側上面開口を形成するレーザー光照射工程と、
前記下面積層部のうち前記下面開口に相当する領域にレーザー光を照射して前記下面開口を形成する下面側レーザー光照射工程と、
前記バスバーアッセンブリ形成領域を前記バスバー用導電性金属平板から切断する切断工程とを含み、
前記レーザー光照射工程は、前記対応する領域の全体に大パルス幅のパルスレーザーを照射する大パルス幅レーザー照射処理と、前記対応する領域の全体に小パルス幅のパルスレーザーを照射する小パルス幅レーザー照射処理とを、複数回繰り返し行うことを特徴とするバスバーアッセンブリの製造方法。
【請求項６】
前記バスバー用導電性金属平板は、前記スリットの長手方向に沿った第１方向に直列配置された複数の前記バスバーアッセンブリ形成領域と、隣接する前記バスバーアッセンブリ形成領域を連結する連結領域とを一体的に有しており、
一のバスバーアッセンブリ形成領域に形成されたスリットは、長手方向一端側が当該一のバスバーアッセンブリ形成領域の第１方向一方側に連接された連結領域内へ延び且つ長手方向他端側が当該一のバスバーアッセンブリ形成領域の第１方向他方側に連接された連結領域内へ延びていることを特徴とする請求項５に記載のバスバーアッセンブリの製造方法。
【請求項７】
平面視において前記バスバーアッセンブリ形成領域に対応した外形状の枠体形成領域を有する枠体用導電性金属平板を用意する工程と、
前記枠体形成領域に、平面視において前記第１及び第２バスバー側上面開口を囲む中央孔を形成し、枠体本体形成部位を形成する工程と、
前記枠体本体形成部位の外周面に絶縁性樹脂層材を設ける工程と、
前記絶縁性樹脂層材を硬化させて、前記枠体本体形成部位の外周を覆う絶縁性樹脂層を設ける工程と、
前記枠体用導電性金属平板を前記バスバー用導電性金属平板に重合させた状態で固着させる金属平板固着工程とを備え、
前記切断工程は、前記金属平板固着工程の後に行われることを特徴とする請求項５又は６に記載のバスバーアッセンブリの製造方法。
【発明の詳細な説明】
【技術分野】
【０００１】
本発明は、第１及び第２バスバーが電気的には絶縁状態で且つ機械的には連結されてなるバスバーアッセンブリ及びその製造方法に関する。
【背景技術】
【０００２】
互いに対して電気的には絶縁状態で且つ機械的には連結されている複数のバスバーを備えたバスバーアッセンブリが提案され、種々の分野において利用されている。
【０００３】
例えば、一の平板状バスバーと他の平板状バスバーとが互いに対して平行状態で上下に積層されてなる積層型のバスバーアッセンブリが提案されている（下記特許文献１及び２参照）。
【０００４】
前記積層型バスバーアッセンブリは、一の平板状バスバーの対向平面と他の平板状バスバーの対向平面とが絶縁性樹脂層を挟んで全面的に対向配置されている為、絶縁性に関する信頼性を十分には確保し難いという問題がある。
特に、上下方向に関し小型化を図る為に前記一の平板状バスバーと前記他の平板状バスバーとの間の絶縁性樹脂層の厚みを薄くすると、両バスバー間にリーク電流が流れる恐れがある。
【０００５】
前記積層型バスバーアッセンブリの問題点を解決する為に、本願出願人は、導電性金属平板の第１及び第２バスバーが同一平面内で並列配置されている平面型バスバーアッセンブリに関する出願を行っている（下記特許文献３及び４参照）。
【０００６】
図２１(a)に、前記平面型バスバーアッセンブリ５００の一例の平面図を示す。
また、図２１(b)に、図２１(a)におけるXXI(b)−XXI(b)線に沿った断面図を示す。
【０００７】
図２１(a)及び(b)に示すように、前記平面型バスバーアッセンブリ５００は、導電性金属平板の第１バスバー５１０（１）と、前記第１バスバー５１０（１）との間に間隙５１５を存しつつ前記第１バスバー５１０（１）と同一平面内に配置された導電性金属平板の第２バスバー５１０（２）と、前記第１及び第２バスバー５１０（１）、５１０（２）を電気的には絶縁状態で且つ機械的には連結する絶縁性樹脂層５２０とを備えている。
【０００８】
前記絶縁性樹脂層５２０は、前記間隙５１５内に充填された間隙充填部５２５と、前記第１及び第２バスバー５１０（１）、５１０（２）が前記間隙充填部５２５によって連結されてなるバスバー連結体の表面上に積層された表面積層部５３０とを有している。
【０００９】
前記表面積層部５３０は、前記バスバー連結体の厚み方向一方側の上面及び厚み方向他方側の下面をそれぞれ覆う上面積層部５３０及び下面積層部５４０と、前記バスバー連結体の外側面を覆い、前記上面積層部５３０及び前記下面積層部５４０を連結する側面積層部５５０とを有している。
【００１０】
前記上面積層部５３０には、前記第１及び第２バスバー５１０（１）、５１０（２）のそれぞれの上面の所定部分を露出させて第１及び第２露出領域を形成する第１及び第２開口５３２（１）、５３２（２）が設けられている。
【００１１】
図２１(c)に、前記バスバーアッセンブリ５００にＬＥＤ等の半導体素子１１０が装着されてなる半導体モジュール６００の縦断面図を示す。
図２１(c)に示すように、前記半導体素子１１０は、第１電極層（下側電極層）が前記第１及び第２露出領域の一方（図２１(c)においては前記第１露出領域）に、例えば、メッキ層（図示せず）を介して機械的且つ電気的に接続され、且つ、第２電極層（上側電極層）が前記第１及び第２露出領域の他方（図２１(c)においては前記第２露出領域）にワイヤボンディング１２０を介して電気的に接続される。
【００１２】
前記平面型バスバーアッセンブリ５００は、上下方向に関し小型化を図り得る点において有用であるが、装着される半導体素子１１０の集約配置という観点においては改善の余地があった。
【００１３】
即ち、前記半導体素子１１０の集約配置の限度は、前記第１及び第２開口５３２（１）、５３２（２）の対向エッジ同士の離間幅Ｌ２（図２１(b)参照）によって画され、前記平面型バスバーアッセンブリ５００においては、Ｌ２は前記第１及び第２バスバー５１０（１）、５１０（２）の間の前記間隙の幅Ｌ１以上となる。
【００１４】
斯かる構成の平面型バスバーアッセンブリ５００において、Ｌ２の狭小化を図る為には前記間隙Ｌ１を狭める必要があるが、前記第１及び第２バスバー５１０（１）、５１０（２）の間の絶縁性確保の観点から、前記間隙の幅Ｌ１を狭めるには限界がある。
【先行技術文献】
【特許文献】
【００１５】
【特許文献１】特許第４４３２９１３号公報
【特許文献２】特許第６４８７７６９号公報
【特許文献３】特開２０１９−０４２６７８号公報
【特許文献４】特開２０１９−０５００９０号公報
【発明の概要】
【発明が解決しようとする課題】
【００１６】
本発明は、斯かる従来技術に鑑みなされたものであり、互いの間に間隙が存する状態で同一平面内に配置され且つ前記間隙内に充填された間隙充填部を含む絶縁性樹脂層によって絶縁状態で連結された第１及び第２バスバーを有するバスバーアッセンブリであって、前記第１及び第２バスバー間の絶縁性を良好に維持しつつ、前記第１バスバー及び／又は前記第２バスバーに装着される半導体素子の集約配置を可能とするバスバーアッセンブリの提供を第１の目的とする。
また、本発明は、前記バスバーアッセンブリを効率的に製造し得る製造方法の提供を第２の目的とする。
【課題を解決するための手段】
【００１７】
本発明は、前記第１の目的を達成するために、導電性平板状部材によって形成され、互いの間に間隙が存する状態で同一平面内に配置された第１及び第２バスバーと、前記間隙内に充填された間隙充填部並びに前記第１及び第２バスバーが前記間隙充填部によって連結されてなるバスバー連結体の厚み方向一方側の上面に設けられた上面積層部を含む絶縁性樹脂層とを備え、前記絶縁性樹脂層は、さらに、前記バスバー連結体の厚み方向他方側の下面に設けられた下面積層部と、前記バスバー連結体の側面に設けられ、前記上面積層部及び前記下面積層部を連結する側面積層部とを有し、前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、前記上面積層部のうち前記第１及び第２バスバー側上面開口の間に位置する部分が仕切壁を形成し、前記下面積層部には、前記第１及び第２バスバーの下面の所定領域を露出させる下面開口が設けられているバスバーアッセンブリを提供する。
【００１８】
また、本発明は、前記第１の目的を達成するために、導電性平板状部材によって形成され、互いの間に間隙が存する状態で同一平面内に配置された第１及び第２バスバーと、前記間隙内に充填された間隙充填部並びに前記第１及び第２バスバーが前記間隙充填部によって連結されてなるバスバー連結体の厚み方向一方側の上面に設けられた上面積層部を含む絶縁性樹脂層とを備え、
前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、前記上面積層部のうち前記第１及び第２バスバー側上面開口の間に位置する部分が仕切壁を形成し、前記第１及び第２バスバーは、前記上面と、厚み方向他方側の下面と、前記間隙に面する第１側面と、前記間隙とは反対側を向く第２側面と、前記上面、前記下面、前記第１側面及び前記第２側面における前記間隙の長手方向一方側の端部同士を連結する第３側面と、前記上面、前記下面、前記第１側面及び前記第２側面における前記間隙の長手方向一方側の端部同士を連結する第４側面とを有し、前記第１側面は、前記上面から厚み方向他方側へ延びる上面隣接部と、前記上面隣接部の厚み方向他方側の端部から前記第２側面に近接する方向へ延びる段部と、前記段部における前記第２側面に近接する側の端部から厚み方向他方側へ延びて前記下面に到達する下面隣接部とを有し、
前記第２側面は、前記上面から厚み方向他方側へ延びる上面隣接部と、前記上面隣接部の厚み方向他方側の端部から前記第１側面に近接する方向へ延びる段部と、前記段部における前記第１側面に近接する側の端部から厚み方向他方側へ延びて前記下面に到達する下面隣接部とを有し、前記絶縁性樹脂層は、さらに、前記第１及び第２バスバーの下面を露出させつつ前記バスバー連結体の側面を覆うように、前記上面積層部に一体形成された側面積層部を有しているバスバーアッセンブリを提供する。
【００１９】
好ましくは、前記第１及び第２バスバー側上面開口は、前記間隙の長手方向に関し前記第１及び第２バスバーの中央に設けられる。
【００２０】
本発明に係るバスバーアッセンブリは、さらに、平面視において前記バスバー連結体の外形状に対応した外形状を有し且つ平面視中央に前記第１及び第２バスバー側上面開口を囲む中央孔が設けられた所定厚みの枠体本体並びに前記枠体本体の外周を覆う絶縁性樹脂層を有する枠体を備え得る。
前記枠体は、平面視において前記第１及び第２バスバー側上面開口を囲むように前記バスバー連結体の上面の周縁に固着される。
【００２１】
また、本発明は、前記第２の目的を達成する為に、導電性平板状部材によって形成され、互いの間に間隙が存する状態で同一平面内に配置された第１及び第２バスバーと、前記間隙内に充填された間隙充填部、前記第１及び第２バスバーが前記間隙充填部によって連結されてなるバスバー連結体の厚み方向一方側の上面に設けられた上面積層部、前記バスバー連結体の厚み方向他方側の下面に設けられた下面積層部並びに前記バスバー連結体の側面に設けられ、前記上面積層部及び前記下面積層部の周縁を連結する側面積層部を含む絶縁性樹脂層とを備え、前記上面積層部には、前記第１バスバー及び前記間隙充填部の上面のうち両者の境界を跨いだ所定領域を露出させる第１バスバー側上面開口と、前記第２バスバー及び前記間隙充填部の上面のうち両者の境界を跨いだ所定領域を露出させる第２バスバー側上面開口とが設けられ、前記上面積層部のうち前記第１及び第２バスバー側上面開口の間に位置する部分が仕切壁を形成し、前記下面積層部には、前記第１及び第２バスバーの下面の所定領域を露出させる下面開口が設けられているバスバーアッセンブリの製造方法であって、前記第１及び第２バスバーを形成するバスバーアッセンブリ形成領域を有するバスバー用導電性金属平板を用意する工程と、前記バスバーアッセンブリ形成領域に、厚み方向一方側の上面及び厚み方向他方側の下面の間を貫通し且つ前記間隙と同一幅を有するスリットを形成して、前記第１及び第２バスバーに対応した第１及び第２バスバー形成部位を画するスリット形成工程と、前記スリット内及び前記バスバーアッセンブリ形成領域の上面の全域に絶縁性樹脂層材を設ける工程と、前記絶縁性樹脂層材を硬化させて、前記間隙充填部及び前記上面積層部を有する前記絶縁性樹脂層を形成する工程と、前記上面積層部のうち前記第１及び第２バスバー側上面開口に相当する領域にレーザー光を照射して前記第１及び第２バスバー側上面開口を形成するレーザー光照射工程と、前記下面積層部のうち前記下面開口に相当する領域にレーザー光を照射して前記下面開口を形成する下面側レーザー光照射工程と、前記バスバーアッセンブリ形成領域を前記バスバー用導電性金属平板から切断する切断工程とを含み、前記レーザー光照射工程は、前記対応する領域の全体に大パルス幅のパルスレーザーを照射する大パルス幅レーザー照射処理と、前記対応する領域の全体に小パルス幅のパルスレーザーを照射する小パルス幅レーザー照射処理とを、複数回繰り返し行うように構成されたバスバーアッセンブリの製造方法を提供する。
【００２２】
好ましくは、前記バスバー用導電性金属平板は、前記スリットの長手方向に沿った第１方向に直列配置された複数の前記バスバーアッセンブリ形成領域と、隣接する前記バスバーアッセンブリ形成領域を連結する連結領域とを一体的に有するものとされる。
【００２３】
この場合、一のバスバーアッセンブリ形成領域に形成されたスリットは、長手方向一端側が当該一のバスバーアッセンブリ形成領域の第１方向一方側に連接された連結領域内へ延び且つ長手方向他端側が当該一のバスバーアッセンブリ形成領域の第１方向他方側に連接された連結領域内へ延びるものとされる。
【００２４】
本発明に係るバスバーアッセンブリの製造方法は、平面視において前記バスバーアッセンブリ形成領域に対応した外形状の枠体形成領域を有する枠体用導電性金属平板を用意する工程と、前記枠体形成領域に、平面視において前記第１及び第２バスバー側上面開口を囲む中央孔を形成し、枠体本体形成部位を形成する工程と、前記枠体本体形成部位の外周面に絶縁性樹脂層材を設ける工程と、前記絶縁性樹脂層材を硬化させて、前記枠体本体形成部位の外周を覆う絶縁性樹脂層を設ける工程と、前記枠体用導電性金属平板を前記バスバー用導電性金属平板に重合させた状態で固着させる金属平板固着工程とを備え得る。
この場合、前記切断工程は、前記金属平板固着工程の後に行われる。
【発明の効果】
【００２５】
本発明に係るバスバーアッセンブリによれば、互いの間に間隙が存する状態で同一平面内に配置された第１及び第２バスバー間の絶縁性を良好に維持しつつ、前記第１バスバー及び／又は前記第２バスバーに装着される半導体素子の集約配置を可能とすることができる。
【００２６】
また、本発明に係るバスバーアッセンブリの製造方法によれば、互いの間に間隙が存する状態で同一平面内に配置された第１及び第２バスバー間の絶縁性を良好に維持しつつ、前記第１バスバー及び／又は前記第２バスバーに装着される半導体素子の集約配置を可能とするバスバーアッセンブリを効率的に製造することができる。
【図面の簡単な説明】
【００２７】
【図１】図１は、本発明の一実施の形態に係るバスバーアッセンブリの斜視図である。
【図２】図２は、前記実施の形態に係るバスバーアッセンブリの平面図である。
【図３】図３は、前記実施の形態に係るバスバーアッセンブリの底面図である。
【図４】図４は、図２におけるIV−IV線に沿った縦断正面図である。
【図５】図５は、図２におけるIV−IV線に沿った縦断斜視図である。
【図６】図６は、図４におけるVI部拡大図である。
【図７】図７(a)及び(b)は、それぞれ、前記実施の形態に係るバスバーアッセンブリに半導体素子が装着されてなる半導体モジュールの一例及び他例の縦断面図である。
【図８】図８は、前記実施の形態の変形例に係るバスバーアッセンブリの縦断正面図である。
【図９】図９は、前記変形例に係るバスバーアッセンブリの縦断斜視図である。
【図１０】図１０は、前記実施の形態に係るバスバーアッセンブリの製造方法の一例において用いられるバスバー用導電性金属平板の平面図である。
【図１１】図１１(a)は、図１０におけるXI(a)部拡大図であり、図１１(b)は、図１１(a)におけるXI(b)-XI(b)線に沿った断面図である。
【図１２】図１２は、前記製造方法における絶縁性樹脂層の設置工程後の状態の前記バスバー用導電性金属平板の平面図である。
【図１３】図１３(a)は、図１２におけるXIII(a)部拡大図であり、図１３(b)は、図１３(a)におけるXIII(b)−XIII(b)線に沿った断面図である。
【図１４】図１４(a)及び(b)は、図１３(a)におけるXIV部拡大図であり、それぞれ、前記製造方法におけるレーザー光照射工程において、大パルス幅レーザー照射処理及び小パルス幅レーザー照射処理を行った後の状態を示している。
【図１５】図１５は、前記レーザー光照射工程及び下面側へのレーザー照射工程を行った後の状態の前記バスバー用導電性金属平板の平面図である。
【図１６】図１６(a)は、図１５におけるXVI(a)部拡大図であり、図１６(b)は、図１６(a)におけるXVI(b)−XVI(b)線に沿った断面図である。
【図１７】図１７は、前記製造方法における枠体形成処理において用いられる枠体用導電性金属平板の平面図である。
【図１８】図１８(a)は、図１７におけるXVII(a)部拡大図であり、図１８(b)は、図１８(a)におけるXVIII(b)−XVIII(b)線に沿った断面図である。
【図１９】図１９は、前記製造方法における一工程である固着工程において、前記バスバー用導電性金属平板及び前記枠体用導電性金属平板が固着された状態の平面図である。
【図２０】図２０は、図１９におけるXX-XX線に沿った断面図である。
【図２１】図２１(a)は、従来の平面型バスバーアッセンブリの平面図であり、図２１(b)は、図２１(a)におけるXXI(b)−XXI(b)線に沿った断面図であり、図２１(c)は、前記従来の平面型バスバーアッセンブリに半導体素子が装着されてなる半導体モジュールの断面図である。
【発明を実施するための形態】
【００２８】
以下、本発明に係るバスバーアッセンブリの一実施の形態について、添付図面を参照しつつ説明する。
図１〜図３に、それぞれ、本実施の形態に係るバスバーアッセンブリ１の斜視図、平面図及び底面図を示す。
また、図４及び図５に、それぞれ、図２におけるIV−IV線に沿った縦断正面図及び縦断斜視図を示す。
さらに、図６に、図４におけるVI部拡大図を示す。
【００２９】
図１〜図６に示すように、前記バスバーアッセンブリ１は、導電性平板状部材によって形成された第１及び第２バスバー１０（１）、１０（２）であって、互いに対向する側面間に間隙１９が存する状態で同一平面内に配置された第１及び第２バスバー１０（１）、１０（２）と、前記第１及び第２バスバー１０（１）、１０（２）に固着された絶縁性樹脂層３０とを有している。
【００３０】
なお、本実施の形態に係る前記バスバーアッセンブリ１は、前記第１及び第２バスバー１０（１）、１０（２）の２つのバスバーのみを有しているが、当然ながら、本発明に係るバスバーアッセンブリは、前記第１及び第２バスバー１０（１）、１０（２）を含む３つ以上のバスバーを有することも可能である。
【００３１】
前記第１及び第２バスバー１０（１）、１０（２）は、Ｃｕ等の導電性金属によって形成される。
図４〜図６に示すように、前記第１及び第２バスバー１０（１）、１０（２）は、厚み方向一方側の上面１１と、厚み方向他方側の下面１２と、前記間隙１９に面する第１側面１３ａと、前記間隙１９とは反対側を向く第２側面１３ｂと、前記上面１１、前記下面１２、前記第１側面１３ａ及び前記第２側面１３ｂにおける前記間隙１９の長手方向一方側の端部同士を連結する第３側面１３ｃと、前記上面１１、前記下面１２、前記第１側面１３ａ及び前記第２側面１３ｂにおける前記間隙１９の長手方向他方側の端部同士を連結する第４側面１３ｄとを有している。
【００３２】
図１〜図６に示すように、前記絶縁性樹脂層３０は、前記第１及び第２バスバー１０（１）、１０（２）の対向側面１３ａ間の前記間隙１９に充填されて前記第１及び第２バスバー１０（１）、１０（２）を電気的には絶縁状態で機械的に連結する間隙充填部３１と、前記第１及び第２バスバー１０（１）、１０（２）が前記間隙充填部３１によって連結されてなるバスバー連結体の上面に設けられた上面積層部４０とを有している。
【００３３】
前記絶縁性樹脂層３０は、耐熱性及び絶縁性を有する絶縁性樹脂層材によって形成される。
前記絶縁性樹脂層材としては、例えば、インシュリード（登録商標）が好適に利用される。
【００３４】
前記上面積層部４０には、前記第１及び第２バスバー１０（１）、１０（２）の上面１１の一部をそれぞれ露出させる第１及び第２バスバー側上面開口４２（１）、４２（２）が設けられている。
【００３５】
図１〜図２及び図４〜図６に示すように、前記第１バスバー側上面開口４２（１）は、前記第１バスバー１０（１）の上面１１及び前記間隙充填部３１の上面のうち両者の境界を跨いだ所定領域を露出させるように形成されている。
【００３６】
前記第１バスバー側上面開口４２（１）によって形成される空間は、前記第１バスバー１０（１）に半導体素子１１０（下記図７(a)及び(b)参照）を装着させる為の半導体素子装着空間又は前記第１バスバー１０（１）を他の電気接続部材に電気的に接続する為の電気接続空間として作用する。
【００３７】
前記第２バスバー側上面開口４２（２）は、前記第１バスバー側上面開口４２（１）との間に前記上面積層部４０の一部を残存させつつ、前記第２バスバー１０（２）の上面１１及び前記間隙充填部３１の上面のうち両者の境界を跨いだ所定領域を露出させるように形成されている。
【００３８】
前記第２バスバー側上面開口４２（２）は、前記第２バスバー１０（２）に半導体素子１１０（下記図７(a)及び(b)参照）を装着させる為の半導体素子装着空間又は前記第２バスバー１０（２）を他の電気接続部材に電気的に接続する為の電気接続空間として作用する。
【００３９】
図７(a)に、前記バスバーアッセンブリ１にＬＥＤ等の半導体素子１１０が装着されてなる半導体モジュールの一例１００Ａの縦断面図を示す。
【００４０】
前記半導体モジュール１００Ａにおいては、前記第１バスバー側上面開口４２（１）（図４及び図５等参照）によって形成される空間が半導体素子１１０を装着させる為の半導体素子装着空間として利用され、前記第２バスバー側上面開口４２（２）（図４及び図５等参照）によって形成される空間が電気接続空間として利用されている。
この場合、前記第１及び第２バスバー１０（１）、１０（２）は、一方が正極側電極として作用し、他方が負極側電極として作用する。
【００４１】
即ち、図７(a)に示すように、前記半導体素子１１０は、厚み方向一方側の下面及び厚み方向他方側の上面にそれぞれ第１及び第２電極層１１１、１１２を有し、前記第１及び第２電極層１１１、１１２の間に素子本体１１５を有している。
【００４２】
前記半導体モジュール１００Ａにおいては、前記半導体素子１１０は、第１電極層１１１が前記一方のバスバー（図示の例においては第１バスバー１０（１））の上面１１のうち対応する上面開口（図示の例においては第１バスバー側上面開口４２（１）（図４及び図５等参照））によって露出された部分に電気的に接続された状態で、当該対応する上面開口（図示の例においては第１バスバー側上面開口４２（１）（図４及び図５等参照））によって形成された空間を利用して当該一方のバスバー（図示の例においては第１バスバー１０（１））の上面１１に固着されている。
【００４３】
そして、前記半導体素子１１０の第２電極層１１２は、ワイヤボンディング等の電気接続部材１２０を介して他方のバスバー（図示の例においては第２バスバー１０（２））の上面１１のうち対応する上面開口（図示の例においては第２バスバー側上面開口４２（２）（図４及び図５等参照））によって露出された部分に電気的に接続されている。
なお、好ましくは、前記第１及び第２バスバー１０（１）、１０（２）の上面にはメッキ層（図示せず）が設けられる。
【００４４】
図７(a)中の符号１３０は、前記バスバーアッセンブリ１に装着された前記半導体素子１１０及び前記電気接続部材１２０等の部品を保護する為に、前記バスバーアッセンブリ１の第１面１１に固着される封止樹脂層である。
前記封止樹脂層１３０は、例えば、ポリイミド、ポリアミド、エポキシ等の透明樹脂が用いられる。
【００４５】
前記封止樹脂層１３０は、枠体６０によって画される領域に設けられる。
即ち、図７(a)に示すように、本実施の形態に係るバスバーアッセンブリ１は、さらに、前記バスバー連結体の上面の中央を開放しつつ、当該バスバー連結体の上面の周縁に固着された前記枠体６０を有している。
【００４６】
前記枠体６０が、前記封止樹脂層１３０を設ける際の堰き止め構造として作用する。
即ち、前記封止樹脂層１３０は、前記半導体素子１１０及び前記電気接続部材１２０等の部品を囲繞するように当該封止樹脂層１３０を形成する樹脂を前記バスバーアッセンブリ１の上面に塗布して、硬化させることによって設けられるが、その際に、当該樹脂が流れ出ることを防止する堰き止め構造を備える必要がある。
【００４７】
前記枠体６０は、平面視において前記バスバー連結体の外形状に対応した外形状を有し且つ平面視中央に前記第１及び第２バスバー側上面開口４２（１）、４２（２）を囲む中央孔６１が設けられた所定厚みの枠体本体６５と、前記枠体本体６５の外周を覆う絶縁性樹脂層７０とを有している。
【００４８】
前記枠体本体６０は、例えば、当該枠体本体６０の厚みに応じた厚みを有する金属平板を用い、前記金属平板に対してプレス加工によって前記中央孔６１を形成することにより、形成され得る。
【００４９】
前記枠体側絶縁性樹脂層６５は、例えば、ポリイミド、ポリアミド、エポキシ等の絶縁性樹脂層材を用いて形成される。
【００５０】
前記枠体６０は、平面視において前記第１及び第２バスバー側上面開口４２（１）、４２（２）を囲むように前記バスバー連結体の上面の周縁に、接着剤等によって固着される。
【００５１】
図７(b)に、前記バスバーアッセンブリ１にＬＥＤ等の半導体素子１１０が装着されてなる半導体モジュールの他の例１００Ｂの縦断面図を示す。
なお、図中、図７(a)におけると同一部材には同一符号を付している。
【００５２】
前記半導体モジュール１００Ｂにおいては、前記第１バスバー側上面開口４２（１）（図４及び図５等参照）によって形成される空間及び前記第２バスバー側上面開口４２（２）（図４及び図５等参照）によって形成される空間の双方共に、半導体素子１１０を装着させる為の半導体素子装着空間として利用されている。
【００５３】
この場合、前記第１及び第２バスバー１０（１）、１０（２）にそれぞれ装着される第１及び第２半導体素子１１０（１）、１１０（２）は電気的に並列接続される。
【００５４】
即ち、前記第１半導体素子１１０（１）の第１電極層１１１が電気的に接続される前記第１バスバー１０（１）及び前記第２半導体素子１１０（２）の第１電極層１１１が電気的に接続される前記第２バスバー１０（２）は共に正極側電極又は負極側電極の一方（例えば、正極側電極）として作用する。
【００５５】
そして、前記第１及び第２半導体素子１１０（１）、１１０（２）の第２電極層１１２は、正極側電極又は負極側電極の他方（例えば、負極側電極。図示せず）にワイヤボンディング等の電気接続部材（図示せず）を介して電気的に接続される。
【００５６】
本実施の形態に係る前記バスバーアッセンブリ１によれば、前記第１及び第２バスバー１０（１）、１０（２）が同一平面内に配置されているので、上下方向（厚み方向）に関し可及的に小型化を図ることができる。
【００５７】
また、前記第１及び第２バスバー１０（１）、１０（２）は前記第１側面１３ａにおいて対向するように配置されているので、複数のバスバーが上下に積層されている積層型バスバーアッセンブリに比して、前記第１及び第２バスバー１０（１）、１０（２）が互いに対して対向する面積を可及的に小さくすることができ、これにより、前記第１及び第２バスバー１０（１）、１０（２）間にリーク電流が流れることを有効に防止乃至は低減することができる。
【００５８】
さらに、本実施の形態に係る前記バスバーアッセンブリ１によれば、図４及び図６に示すように、前記第１及び第２バスバー１０（１）、１０（２）間の前記間隙１９の幅Ｌ１を無理に狭めることなく、第１及び第２バスバー側上面開口４２（１）、４２（２）の対向エッジ同士の離間幅Ｌ２の狭小化を図ることができる。
【００５９】
従って、図７(a)及び(b)に示すように、前記第１及び第２バスバー１０（１）、１０（２）間の絶縁性を良好に確保しつつ、前記第１バスバー１０（１）及び／又は前記第２バスバー１０（２）に装着される半導体素子１１０の可及的な集約配置を行うことができる。
【００６０】
また、前記上面積層部４０のうち前記第１及び第２バスバー側上面開口４２（１）、４２（２）の間に位置する部分が、前記第１バスバー側上面開口４２（１）を介して露出する前記第１バスバー１０（１）の露出領域（以下、第１バスバー露出領域という）と前記第２バスバー側上面開口４２（２）を介して露出する前記第２バスバー１０（２）の露出領域（以下、第２バスバー露出領域という）との間の仕切壁４３として作用するので、前記第１及び第２バスバー露出領域間の短絡を有効に防止することができる。
【００６１】
さらに、前記仕切壁４３は、前記半導体素子１１０を装着させる際の位置合わせ部材としても作用させることができ、前記半導体素子１１０の装着位置の精度を高めることができる。
【００６２】
なお、本実施の形態においては、図２等に示すように、前記第１及び第２バスバー側上面開口４２（１）、４２（２）は、前記間隙１９の長手方向に関し前記第１及び第２バスバー１０（１）、１０（２）の中央に設けられている。
【００６３】
図４及び図５等に示すように、本実施の形態においては、前記絶縁性樹脂層３０は、さらに、前記バスバー連結体の厚み方向他方側の下面に設けられた下面積層部５０と、前記バスバー連結体の側面に設けられ、前記上面積層部４０及び前記下面積層部５０の周縁を連結する側面積層部５５とを有している。
【００６４】
図３〜図６に示すように、本実施の形態においては、前記下面積層部５０には、前記第１及び第２バスバー１０（１）、１０（２）の下面１２の所定領域をそれぞれ露出させる第１及び第２バスバー側下面開口５２（１）、５２（２）が設けられている。
なお、前記第１及び第２バスバー側下面開口５２（１）、５２（２）に代えて、前記第１及び第２バスバー１０（１）、１０（２）の下面１２の所定領域の双方を一体的に露出させる単一の下面開口を形成することも可能である。
【００６５】
図８及び図９に、それぞれ、本実施の形態の変形例に係るバスバーアッセンブリ１'の縦断正面図及び縦断斜視図を示す。
なお、図中、本実施の形態におけると同一部材には同一符号を付している。
【００６６】
前記変形例１'は、本実施の形態に比して、前記第１及び第２バスバー１０（１）、１０（２）の代わりに第１及び第２バスバー１０'（１）、１０'（２）を有し、且つ、前記絶縁性樹脂層３０の代わりに絶縁性樹脂層３０'を有している。
【００６７】
前記第１及び第２バスバー１０'（１）、１０'（２）は、前記上面１１及び前記下面１２と、前記間隙１９に面する第１側面１３ａ'と、前記間隙１９とは反対側を向く第２側面１３ｂ'と、前記上面１１、前記下面１２、前記第１側面１３ａ'及び前記第２側面１３ｂ'における前記間隙１９の長手方向一方側の端部同士を連結する第３側面（図示せず）と、前記上面１１、前記下面１２、前記第１側面１３ａ'及び前記第２側面１３ｂ'における前記間隙１９の長手方向他方側の端部同士を連結する第４側面（図示せず）とを有している。
【００６８】
前記第１側面１３ａ'は、前記上面１１から厚み方向他方側へ延びる上面隣接部１３ａ'-１、前記上面隣接部１３ａ'-１の厚み方向他方側の端部から前記第２側面１３ｂ'に近接する方向へ延びる段部１３ａ'-２と、前記段部１３ａ'-２における前記第２側面１３ｂ'に近接する側の端部から厚み方向他方側へ延びて前記下面１２に到達する下面隣接部１３ａ'-３とを有している。
【００６９】
同様に、前記第２側面１３ｂ'は、前記上面１１から厚み方向他方側へ延びる上面隣接部１３ｂ'-１と、前記上面隣接部１３ｂ'-１の厚み方向他方側の端部から前記第１側面１３ａ'に近接する方向へ延びる段部１３ｂ'-２と、前記段部１３ｂ'-２における前記第１側面１３ａ'に近接する側の端部から厚み方向他方側へ延びて前記下面１２に到達する下面隣接部１３ｂ'-３とを有している。
【００７０】
前記絶縁性樹脂層３０'は、前記間隙充填部３１及び前記上面積層部４０を有し、さらに、前記第１及び第２バスバー１０'（１）、１０'（２）の下面１２を露出させつつ前記バスバー連結体の側面を覆うように、前記上面積層部４０に一体形成された側面積層部５５'を有している。
【００７１】
次に、前記バスバーアッセンブリ１の製造方法について説明する。
図１０に、前記製造方法において用いられるバスバー用導電性金属平板２００の平面図を示す。
また、図１１(a)に、図１０におけるXI(a)部拡大図を、図１１(b)に、図１１(a)におけるXI(b)-XI(b)線に沿った断面図を、それぞれ示す。
【００７２】
図１０及び図１１に示すように、前記製造方法は、前記第１及び第２バスバー１０（１）、１０（２）を形成するバスバーアッセンブリ形成領域２１０を有するバスバー用導電性金属平板２００を用意する工程と、前記バスバーアッセンブリ形成領域２１０に、厚み方向一方側の上面２１１及び厚み方向他方側の下面２１２の間を貫通するスリット２１５を形成するスリット形成工程とを有している。
図１０及び図１１は、前記スリット形成工程完了後の状態を示している。
【００７３】
前記バスバー用導電性金属平板２００は、前記第１及び第２バスバー１０（１）、１０（２）と同一厚みを有するものとされ、前記バスバーアッセンブリ形成領域２１０は、前記バスバー連結体と平面視同一形状を有するものとされる。
【００７４】
前記スリット２１５は、前記間隙１９と同一幅を有し、且つ、前記間隙１９と同一又は前記間隙１９よりも長いものとされ、前記バスバーアッセンブリ形成領域２１０を、前記第１及び第２バスバー１０（１）、１０（２）にそれぞれ対応した第１及び第２バスバー形成部位２２０（１）、２２０（２）に区画する。
【００７５】
なお、前記第１及び第２バスバー１０（１）、１０（２）に加えて他のバスバーを含む３つ以上のバスバーが並列配置されたバスバーアッセンブリを製造する場合には、バスバーの数量から１を減算した数のスリットが形成される。
即ち、例えば、３つのバスバーが並列配置されてなるバスバーアッセンブリを製造する際には、２つのスリットが形成される。
【００７６】
図１０及び図１１に示すように、本実施の形態においては、前記バスバー用導電性金属平板２００は、当該導電性金属平板２００が位置するＸ−Ｙ平面内のＸ方向に沿って直列配列された複数の前記バスバーアッセンブリ形成領域２１０と、Ｘ方向に隣接するバスバーアッセンブリ形成領域２１０の間を連結する連結領域２３０とを含むバスバー列２０５を有しており、前記複数のバスバーアッセンブリ形成領域２１０に対して加工処理を同時に行えるようになっている。
【００７７】
本実施においては、前記バスバー用導電性金属平板２００は、さらに、前記バスバー列２０５の長手方向（Ｘ方向）一方側及び他方側にそれぞれ連結された一対の把持片２０７を有しており、前記一対の把持片２０７には位置合わせ孔２０８が設けられている。
【００７８】
なお、複数の前記バスバー列２０５をＹ方向に並列配置させ、Ｙ方向に並列配置された複数のバスバー列２０５を前記一対の把持片２０７、２０７によって一体的に保持することも可能である。
かかる変形構成によれば、より多くのバスバーアッセンブリ１を同時に製造することができる。
【００７９】
前記バスバーアッセンブリ形成領域２１０は、Ｘ方向長さが前記間隙１９の長手方向に沿った前記バスバーアッセンブリ１の長さ同一とされ、且つ、Ｙ方向長さが前記間隙１９の幅方向に沿った前記バスバーアッセンブリ１の長さと同一とされている。
【００８０】
前記スリット２１５は、前記バスバーアッセンブリ１における前記間隙１９を形成するものであり、前記間隙１９と同一幅とされる。
なお、前記間隙１９の幅は、前記バスバーアッセンブリ１の仕様に応じて定まる。  
【００８１】
本実施の形態においては、一のバスバーアッセンブリ形成領域２１０に形成されたスリット２１５は、長手方向（Ｘ方向）一方側が当該一のバスバーアッセンブリ形成領域２１０の長手方向（Ｘ方向）一方側に連結された一の連結領域２３０内へ延び、且つ、長手方向（Ｘ方向）他方側が当該一のバスバーアッセンブリ形成領域２３０の長手方向（Ｘ方向）他方側に連結された他の連結領域２３０内へ延びている。
【００８２】
この場合、前記スリット形成工程後の状態において、前記一のバスバーアッセンブリ形成領域２１０に形成されたスリット２１５を介して対向する第１及び第２バスバー形成部位２２０（１）、２２０（２）は、前記一の連結領域２３０及び前記他の連結領域２３０を介して、互いに対して繋がった状態に維持される。
従って、前記スリット２１５（前記間隙１９）を精度良く形成することができる。
【００８３】
前記製造方法は、前記スリット形成工程後に、前記スリット２１５内及び前記バスバー形成領域２１０の外表面に、前記絶縁性樹脂層３０を形成する絶縁性樹脂層材２４０を設け、これを硬化させて前記絶縁性樹脂層３０を設ける工程を有している。
【００８４】
図１２に、前記絶縁性樹脂層３０を設けた状態の前記バスバー用導電性金属平板２００の平面図を示す。
また、図１３(a)に、図１２におけるXIII(a)部拡大図を、図１３(b)に、図１３(a)におけるXIII(b)−XIII(b)線に沿った断面図を、それぞれ示す。
【００８５】
前記絶縁性樹脂層材２４０は、ポリイミド、ポリアミド、エポキシ等の耐熱性及び絶縁性を有する絶縁性樹脂とされ、好適には、インシュリード（登録商標）が用いられる。
【００８６】
前記絶縁性樹脂層材２４０の設置は、例えば、当該絶縁性樹脂層材２４０を含む塗料を電着塗装することによって行うことができる。
これに代えて、前記絶縁性樹脂層材２４０の粉体を静電粉体塗装することも可能である。
若しくは、前記スリット２１５内への樹脂の充填性を十分に担保できる場合には、前記絶縁性樹脂層材２４０を含む塗料をスプレー塗装することも可能である。
【００８７】
前記絶縁性樹脂層材２４０の硬化は、例えば、前記絶縁性樹脂層材２４０を所定温度及び所定時間で加熱処理することによって行われる。
【００８８】
前記製造方法は、その後に、前記上面積層部４０の上面のうち前記第１及び第２バスバー側上面開口４２（１）、４２（２）に相当する領域にレーザー光を照射して前記第１及び第２バスバー側上面開口４２（１）、４２（２）を形成するレーザー光照射工程を有している。
【００８９】
前記レーザー光照射工程は、前記対応する領域の全体に大パルス幅のパルスレーザーを照射する大パルス幅レーザー照射処理と、前記対応する領域の全体に小パルス幅のパルスレーザーを照射する小パルス幅レーザー照射処理とを、複数回繰り返し行うものとされる。
【００９０】
図１４(a)及び(b)に図１３(a)におけるXIV部拡大図を示す。
図１４(a)及び(b)は、それぞれ、前記第１バスバー側上面開口４２（１）に対応する領域に大パルス幅レーザー照射処理及び小パルス幅レーザー照射処理を行った後の状態を示している。
図１４(a)及び(b)中の符号２４５及び２４６は、それぞれ、大パルス幅のパルスレーザー及び小パルス幅のパルスレーザーの照射スポットである。
【００９１】
ここで、前記レーザー光照射工程におけるレーザー光は、前記絶縁性樹脂層３０を熔融させ得る限り、種々の波長とされ、例えば、波長１０６４ｎｍとされる。
【００９２】
前記大パルス幅のパルスレーザーは、ピーク出力は弱まる反面、被照射体となる前記絶縁性樹脂層３０の上面積層部４０への照射時間が長くなる為、前記上面積層部４０における熱の拡散度合いが強まり、照射ピッチ（前記上面積層部４０に開けられる穿孔径）は大きくなる。
【００９３】
一方、前記小パルス幅のパルスレーザーは、被照射体となる前記絶縁性樹脂層３０の上面積層部４０への照射時間が短くなる為、前記上面積層部４０における熱の拡散度合いは弱まり、照射ピッチ（前記上面積層部４０に開けられる穿孔径）が小さくなる反面、ピーク出力は強まる為、鋭利な穿孔エッジを形成することが可能となる。
【００９４】
従って、大パルス幅レーザー照射処理及び小パルス幅レーザー照射処理を複数回繰り返し行うことによって、前記第１及び第２バスバー側上面開口４２（１）、４２（２）を、綺麗なエッジ状態で形成することができる。
【００９５】
なお、前述の通り、前記第１バスバー側上面開口４２（１）は、平面視において前記第１バスバー１０（１）及び前記間隙充填部３１の境界を跨いだ所定領域を含むものとされており、前記第２バスバー側上面開口４２（２）は、平面視において前記第２バスバー１０（２）及び前記間隙充填部３１の境界を跨いだ所定領域を含むものとされている。
【００９６】
即ち、前記レーザー光照射工程によって熔融させる前記上面積層部４０の一部の直下には、前記間隙充填部３１が存在する。
ここで、前記レーザー光照射工程における前記レーザー光の大パルス幅及び小パルス幅、繰返し周波数、パルスエネルギー、ピーク出力を含むレーザーパラメータは、前記間隙充填部３１上に位置する前記上面積層部４０は熔融させつつ、前記間隙充填部３１は熔融させないように設定される。
このレーザーパラメータの設定値は、被照射体となる前記絶縁性樹脂層３０の種類や厚みに応じて、実験に基づき知ることができる。
【００９７】
なお、前記製造方法は、前記第１及び第２バスバー側上面開口４２（１）、４２（２）を形成するレーザー光照射工程に加えて、前記下面積層部５０の所定領域にレーザー光を照射して前記第１及び第２バスバー側下面開口５２（１）、５２（２）を形成する下面側レーザー光照射工程を備えている。
【００９８】
図１５に、前記レーザー光照射工程及び前記下面側レーザー光照射工程後の前記バスバー用導電性金属平板２００の平面図を示す。
また、図１６(a)に、図１５におけるXVI(a)部拡大図を、図１６(b)に、図１６(a)におけるXVI(b)−XVI(b)線に沿った断面図を、それぞれ示す。
【００９９】
前記製造方法は、前記バスバー用導電性金属平板２００を用意する工程から前記レーザー光照射工程までの間の任意タイミング、又は、前記バスバー用導電性金属平板２００を用意する工程の前、又は、前記レーザー光照射工程の後に、前記枠体６０を形成する枠体形成処理を行うように構成されている。
【０１００】
図１７に、前記枠体形成処理において用いられる枠体用導電性金属平板３００の平面図を示す。
さらに、図１８(a)に、図１７におけるXVII(a)部拡大図を、図１８(b)に、図１８(a)におけるXVIII(b)−XVIII(b)線に沿った断面図を、それぞれ示す。
【０１０１】
図１７及び図１８に示すように、前記枠体形成処理は、前記枠体本体６５の厚みと同一厚みを有し且つ平面視において前記バスバーアッセンブリ形成領域２１０に対応した外形状の枠体形成領域３１０を有する枠体用導電性金属平板３００を用意する工程と、前記枠体形成領域３１０における枠体本体形成部位３２０が残るように前記枠体形成領域３１０の中央を打ち抜く打ち抜き工程と、前記枠体本体形成部位３２０の外周面に絶縁性樹脂層７０を形成する絶縁性樹脂層材２７０を塗布し、これを硬化させて前記絶縁性樹脂層７０を設ける工程とを備えている。
図１７は、前記枠体本体形成部位３２０の外周面に前記絶縁性樹脂層７０を設ける工程後の状態を示している。
【０１０２】
前記枠体用導電性金属平板３００は、前記バスバー用導電性金属平板２００に重合させた際に、前記枠体形成領域３１０が前記バスバーアッセンブリ形成領域２１０に位置合わせされるように構成されている。
【０１０３】
詳しくは、前述の通り、前記バスバー用導電性金属平板２００は、Ｘ方向に沿って直列配列された複数の前記バスバーアッセンブリ形成領域２１０と、Ｘ方向に隣接するバスバーアッセンブリ形成領域２１０の間を連結する連結領域２３０とを含むバスバー列２０５を有している。
【０１０４】
従って、前記枠体用導電性金属平板３００は、図１７に示すように、前記複数のバスバーアッセンブリ形成領域２１０と同一ピッチでＸ方向に直列配置された複数の前記枠体形成領域３１０と、Ｘ方向に隣接する枠体形成領域３１０の間を連結する連結領域３３０とを含む枠体列３０５を有している。
【０１０５】
なお、前述の通り、前記バスバー用導電性金属平板２００は、前記バスバー列２０５の長手方向（Ｘ方向）一方側及び他方側にそれぞれ連結された一対の把持片２０７を有しており、前記一対の把持片２０７には位置合わせ孔２０８が設けられている。
【０１０６】
これに応じて、図１７に示すように、前記枠体用導電性金属平板３００にも、前記枠体列３０５の長手方向（Ｘ方向）一方側及び他方側にそれぞれ連結された一対の把持片３０７が設けられ、前記一対の把持片３０７には前記位置合わせ孔２０８に対応した位置合わせ孔３０８が設けられている。
【０１０７】
前記打ち抜き工程において打ち抜かれる中央領域は、前記枠体形成領域３１０を前記バスバーアッセンブリ形成領域２１０に重合させた際に、前記枠体本体形成部位３２０が前記第１面側第１中央開口４１ａ及び前記第１面側第２中央開口４１ｂを囲繞する大きさとされる。
【０１０８】
前記枠体本体形成部位３２０への絶縁性樹脂層材２７０の設置は、例えば、ポリイミド、ポリアミド、エポキシ等の耐熱性及び絶縁性を有する絶縁性樹脂を含む塗料を電着塗装することによって行うことができる。
これに代えて、前記絶縁性樹脂層材２７０の粉体を静電粉体塗装することも可能である。
若しくは、前記絶縁性樹脂層材２７０を含む塗料をスプレー塗装することも可能である。
【０１０９】
好ましくは、前記枠体本体形成部位３２０に絶縁性樹脂層材２７０を設ける工程は、前記バスバー形成領域２１０に絶縁性樹脂層材２４０を設ける工程と同時に同一方法で行うことができる。
【０１１０】
即ち、前記バスバー形成領域２１０に電着塗装によって絶縁性樹脂層材２４０を設ける場合には、前記枠体本体形成部位３２０にも電着塗装によって絶縁性樹脂層材２７０を設けることができ、前記バスバー形成領域２１０に静電粉体塗装によって絶縁性樹脂層材２４０を設ける場合には、前記枠体本体形成部位３２０にも静電粉体塗装によって絶縁性樹脂層材２７０を設けることができる。
斯かる構成によれば、製造効率の向上を図ることができる。
【０１１１】
前記製造方法は、さらに、前記絶縁性樹脂層３０が設けられた前記バスバー用導電性金属平板２００の上面に、前記第１及び第２バスバー側上面開口４２（１）、４２（２）を囲むように、前記絶縁性樹脂層７０が設けられた前記枠体用導電性金属平板３００を接着剤によって固着させる工程を備えている。
図１９に、前記固着工程後の前記バスバー用導電性金属平板２００及び前記枠体用導電性金属平板３００の平面図を示す。
図２０に、図１９におけるXX-XX線に沿った断面図を示す。
【０１１２】
そして、前記製造方法は、前記固着工程の後に、重合状態の前記バスバー用導電性金属平板２００及び前記枠体用導電性金属平板３００を前記バスバーアッセンブリ形成領域２１０のＸ方向一方側及び他方側のエッジにそれぞれ沿った切断線Ｃ１、Ｃ２で切断して、前記バスバーアッセンブリ形成領域２１０及び前記枠体形成領域３１０を取り出す切断工程を有している。
【０１１３】
斯かる構成を備えた製造方法によれば、本実施の形態に係る前記バスバーアッセンブリ１を効率良く製造することができる。
【符号の説明】
【０１１４】
１、１'                     バスバーアッセンブリ
１０（１）、１０（２）      第１及び第２バスバー
１１                        上面
１２                        下面
１３ａ、１３ａ’            第１側面
１３ａ’−１                上面隣接部
１３ａ’−２                段部
１３ａ’−３                下面隣接部
１３ｂ、１３ｂ’            第２側面
１３ｂ’−１                上面隣接部
１３ｂ’−２                段部
１３ａｂ−３                下面隣接部
１３ｃ                      第３側面
１３ｄ                      第４側面
１９                        間隙
３０                        絶縁性樹脂層
３１                        間隙充填部
４０                        上面積層部
４２（１）、４２（２）      第１及び第２バスバー側上面開口
４３                        仕切壁
５０                        下面積層部
５２（１）、５２（２）      第１及び第２バスバー側下面開口
５５                        側面積層部
６０                        枠体
６１                        中央孔
６５                        枠体本体
７０                        絶縁性樹脂層
２００                      バスバー用導電性金属平板
２１０                      バスバーアッセンブリ形成領域
２１５                      スリット
２２０（１）、２２０（２）  第１及び第２バスバー形成部位
２３０                      連結領域
２４０、２７０              絶縁性樹脂層材
３００                      枠体用導電性金属平板
３１０                      枠体形成領域
３２０                      枠体本体形成部位
【図１】
0006884835.tif 000002
【図２】
0006884835.tif 000003
【図３】
0006884835.tif 000004
【図４】
0006884835.tif 000005
【図５】
0006884835.tif 000006
【図６】
0006884835.tif 000007
【図７】
0006884835.tif 000008
【図８】
0006884835.tif 000009
【図９】
0006884835.tif 000010
【図１０】
0006884835.tif 000011
【図１１】
0006884835.tif 000012
【図１２】
0006884835.tif 000013
【図１３】
0006884835.tif 000014
【図１４】
0006884835.tif 000015
【図１５】
0006884835.tif 000016
【図１６】
0006884835.tif 000017
【図１７】
0006884835.tif 000018
【図１８】
0006884835.tif 000019
【図１９】
0006884835.tif 000020
【図２０】
0006884835.tif 000021
【図２１】
0006884835.tif 000022